(57)【要約】【課題】通信状態が劣悪な場合に接続ができないという状態を回避することができ、また高速に接続ができることを目的にする。【解決手段】センタ側装置は、電話回線１０１に接続されたスプリッタ１０３と、複数のＡＤＳＬ接続モードに対応するＡＤＳＬモデム集合装置１０２と、ＡＤＳＬモデム集合装置とインターネット網１０６とを接続するＢＡＳ１０５とを有し、ユーザ側装置は、電話回線に接続されたスプリッタ１０８と、複数のＡＤＳＬ接続モードに対応するＡＤＳＬモデム１０７と、ＡＤＳＬモデムに接続されたパソコン１０９とを有し、ＡＤＳＬモデム集合装置は、初期ネゴシエーションを行って接続レートを自動設定する際に、設定ＡＤＳＬ接続モードでネゴシエーションを行い、接続が確保できない場合や設定接続レート以下でしか接続できない場合には他のＡＤＳＬ接続モードに移行してネゴシエーションを行う。【選択図】　図１
2004015391.tif 000002
【特許請求の範囲】
【請求項１】
センタ側装置とユーザ側装置とをＡＤＳＬ接続モードで電話回線を介して接続するＡＤＳＬ接続システムであって、
前記センタ側装置は、前記電話回線に接続された第１のスプリッタと、複数のＡＤＳＬ接続モードに対応するＡＤＳＬモデム集合装置と、前記ＡＤＳＬモデム集合装置とインターネット網とを接続するブロードバンドアクセスサーバとを有し、
前記ユーザ側装置は、前記電話回線に接続された第２のスプリッタと、複数のＡＤＳＬ接続モードに対応するＡＤＳＬモデムと、前記ＡＤＳＬモデムに接続されたパソコンとを有し、
前記ＡＤＳＬモデム集合装置は、初期ネゴシエーションを行って接続レートを自動設定する際に、デフォルトで設定したＡＤＳＬ接続モードでネゴシエーションを行い、接続が確保できない場合や設定された接続レート以下でしか接続できない場合には他のＡＤＳＬ接続モードに移行してネゴシエーションを行うことを特徴とするＡＤＳＬ接続システム。
【請求項２】
前記ブロードバンドアクセスサーバは、前記ＡＤＳＬモデム集合装置によりリンクを確立した後にテストデータ転送を行い、前記テストデータ転送の伝送スピードがリンク確立時のリンクスピードに比べて極端に低い場合には他のＡＤＳＬ接続モードに移行してネゴシエーションを行うことを特徴とする請求項１に記載のＡＤＳＬ接続システム。
【請求項３】
前記ブロードバンドアクセスサーバは、前記パソコンからのＡＤＳＬ接続モードの切換え要求を受信した際、前記ＡＤＳＬモデム集合装置に対してＡＤＳＬ接続モードの切換えコマンドを送信することを特徴とする請求項１または２に記載のＡＤＳＬ接続システム。
【請求項４】
前記ブロードバンドアクセスサーバは、ユーザ側装置において移行する接続モードを管理するユーザ管理用サーバを有し、接続モードを移行する必要が生じたときには前記ユーザ管理用サーバのデータベースを参照してＡＤＳＬ接続モードを選択し、前記選択したＡＤＳＬ接続モードへの移行コマンドを前記ＡＤＳＬモデム集合装置に送信することを特徴とする請求項１乃至３のいずれか１に記載のＡＤＳＬ接続システム。
【請求項５】
前記ＡＤＳＬモデムは、前記ＡＤＳＬモデム集合装置のＡＤＳＬ接続モードを自動センシングすることが可能であり、現在のＡＤＳＬ接続モードが何であるかを表示することが可能であることを特徴とする請求項１乃至４のいずれか１に記載のＡＤＳＬ接続システム。
【発明の詳細な説明】
【０００１】
【発明の属する技術分野】
本発明は、センタ側装置とユーザ側装置とをＡＤＳＬ接続モードで電話回線を介して接続するＡＤＳＬ接続システムに関するものである。
【０００２】
【従来の技術】
ＡＤＳＬモデムの接続性は、回線長やノイズの影響により大きく左右されてしまい、接続が不安定になったり、最悪の場合には接続できない等の状況に陥る。一般的にはＡＤＳＬモデムとセンタ側装置との間において初期のネゴシエーションを行い、回線状況に応じた接続レートを自動設定した後にデータの通信を行っている。
【０００３】
図７は、従来のＡＤＳＬ接続システムを示すブロック図であり、ユーザ側装置のＡＤＳＬモデムとセンタ側装置との間の接続の例を示す。
【０００４】
図７において、１０１は電話回線、１０３、１０８はスプリッタ、１０４は交換機、１０６はインターネット網、１０９はＰＣ（パソコン）、１１０は電話セット、１１１は電話回線網、２０２はセンタ側装置のＡＤＳＬモデム集合装置、２０５はＢＡＳ（ブロードバンドアクセスサーバ）、２０７はユーザ側装置のＡＤＳＬモデムである。ここで、構成要素１０３、１０４、２０２、２０５はセンタ側装置を構成し、構成要素１０８、１０９、１１０、２０７はユーザ側装置を構成する。
【０００５】
このように構成されたＡＤＳＬ接続システムについて、その動作の概略を説明する。
【０００６】
ＡＤＳＬモデム集合装置２０２とＡＤＳＬモデム２０７とは、モデム用の高域信号と電話用の低域信号とを分離するスプリッタ１０３、１０８を介して電話回線１０１で接続されており、ＡＤＳＬ用の伝送方式に基づいた変復調信号とプロトコルとに従って動作する。センタ側装置においては、スプリッタ１０３を通った電話信号は、交換機１０４を経て電話回線網１１１へ出力される。ＡＤＳＬモデム集合装置２０２を通過したネットワーク信号は、ＢＡＳ２０５を経てインターネット網１０６へ出力される。ユーザ側装置においては、スプリッタ１０８を通った電話信号は、電話セット１１０に入力され、ＡＤＳＬモデム２０７を通過したネットワークデータは、イーサネット等を介してＰＣ１０９等に入力される。このような接続環境下においては一般的に、ＡＤＳＬモデム初期化時に、いくつかの周波数の信号を互いに通信してパラメータの送受信とネゴシエーションとを行い、そのＳ／Ｎ比を測定し、各搬送波に割り当てるビット数を調整して伝送速度を決定し、ＡＤＳＬモデム集合装置２０２とＡＤＳＬモデム２０７との間の接続リンクを確立し、その後ネットワークデータの送受信を行うこととなっている。
【０００７】
【発明が解決しようとする課題】
しかしながら、上記従来のＡＤＳＬ接続システムでは、線路長が長いとか、他線路からのクロストークが大きいとか、外来ノイズが大きいとかのように回線環境が劣悪な場合には、極端に接続スピードが低下したり、最悪の場合には接続ができなくなるという問題点を有していた。
【０００８】
このＡＤＳＬ接続システムでは、上述したように通信状態が劣悪な場合に接続ができないという状態を回避することができ、また高速に接続ができることが要求されている。
【０００９】
本発明は、これらの要求を満たすために、通信状態が劣悪な場合に接続ができないという状態を回避することができ、また高速に接続ができるＡＤＳＬ接続システムを提供することを目的にする。
【００１０】
【課題を解決するための手段】
上記課題を解決するために本発明のＡＤＳＬ接続システムは、センタ側装置とユーザ側装置とをＡＤＳＬ接続モードで電話回線を介して接続するＡＤＳＬ接続システムであって、センタ側装置は、電話回線に接続された第１のスプリッタと、複数のＡＤＳＬ接続モードに対応するＡＤＳＬモデム集合装置と、ＡＤＳＬモデム集合装置とインターネット網とを接続するブロードバンドアクセスサーバとを有し、ユーザ側装置は、電話回線に接続された第２のスプリッタと、複数のＡＤＳＬ接続モードに対応するＡＤＳＬモデムと、ＡＤＳＬモデムに接続されたパソコンとを有し、ＡＤＳＬモデム集合装置は、初期ネゴシエーションを行って接続レートを自動設定する際に、デフォルトで設定したＡＤＳＬ接続モードでネゴシエーションを行い、接続が確保できない場合や設定された接続レート以下でしか接続できない場合には他のＡＤＳＬ接続モードに移行してネゴシエーションを行う構成を備えている。
【００１１】
これにより、通信状態が劣悪な場合に接続ができないという状態を回避することができ、また高速に接続ができるＡＤＳＬ接続システムが得られる。
【００１２】
【発明の実施の形態】
本発明の請求項１に記載のＡＤＳＬ接続システムは、センタ側装置とユーザ側装置とをＡＤＳＬ接続モードで電話回線を介して接続するＡＤＳＬ接続システムであって、センタ側装置は、電話回線に接続された第１のスプリッタと、複数のＡＤＳＬ接続モードに対応するＡＤＳＬモデム集合装置と、ＡＤＳＬモデム集合装置とインターネット網とを接続するブロードバンドアクセスサーバとを有し、ユーザ側装置は、電話回線に接続された第２のスプリッタと、複数のＡＤＳＬ接続モードに対応するＡＤＳＬモデムと、ＡＤＳＬモデムに接続されたパソコンとを有し、ＡＤＳＬモデム集合装置は、初期ネゴシエーションを行って接続レートを自動設定する際に、デフォルトで設定したＡＤＳＬ接続モードでネゴシエーションを行い、接続が確保できない場合や設定された接続レート以下でしか接続できない場合には他のＡＤＳＬ接続モードに移行してネゴシエーションを行うこととしたものである。
【００１３】
この構成により、接続が確保できない場合には他のＡＤＳＬ接続モードに移行することができ、また設定された接続レート以下の接続レートとなる場合には他のＡＤＳＬ接続モードに移行することができるので、接続不可を回避することができ、また高速の接続レートを確保することができるという作用を有する。
【００１４】
請求項２に記載のＡＤＳＬ接続システムは、請求項１に記載のＡＤＳＬ接続システムにおいて、ブロードバンドアクセスサーバは、ＡＤＳＬモデム集合装置によりリンクを確立した後にテストデータ転送を行い、テストデータ転送の伝送スピードがリンク確立時のリンクスピードに比べて極端に低い場合には他のＡＤＳＬ接続モードに移行してネゴシエーションを行うこととしたものである。
【００１５】
この構成により、ＦＴＰデータ等の転送でエラーが頻発する事によりデータ転送レートが極端に低くなる状態に対応することができるという作用を有する。
【００１６】
請求項３に記載のＡＤＳＬ接続システムは、請求項１または２に記載のＡＤＳＬ接続システムにおいて、ブロードバンドアクセスサーバは、パソコンからのＡＤＳＬ接続モードの切換え要求を受信した際、ＡＤＳＬモデム集合装置に対してＡＤＳＬ接続モードの切換えコマンドを送信することとしたものである。
【００１７】
パソコンからのＡＤＳＬ接続モードの切換え要求をブロードバンドアクセスサーバが認めた場合にはＡＤＳＬモデム集合装置は他のＡＤＳＬ規格の接続モードに移行してネゴシエーションを行うことができるので、時間軸での回線環境の変化に実使用者側（ユーザ側）からの要求に適宜に対応することができるという作用を有する。
【００１８】
請求項４に記載のＡＤＳＬ接続システムは、請求項１乃至３のいずれか１に記載のＡＤＳＬ接続システムにおいて、ブロードバンドアクセスサーバは、ユーザ側装置において移行する接続モードを管理するユーザ管理用サーバを有し、接続モードを移行する必要が生じたときにはユーザ管理用サーバのデータベースを参照してＡＤＳＬ接続モードを選択し、選択したＡＤＳＬ接続モードへの移行コマンドをＡＤＳＬモデム集合装置に送信することとしたものである。
【００１９】
この構成により、ユーザ管理用サーバにおいて、現在使用されているＡＤＳＬ接続モードは何かを把握することができ、また移行すべきＡＤＳＬ接続モードは何かも把握することができるので、各ユーザのメンテナンス管理やサービス管理が可能になるという作用を有する。
【００２０】
請求項５に記載のＡＤＳＬ接続システムは、請求項１乃至３のいずれか１に記載のＡＤＳＬ接続システムにおいて、ＡＤＳＬモデムは、ＡＤＳＬモデム集合装置のＡＤＳＬ接続モードを自動センシングすることが可能であり、現在のＡＤＳＬ接続モードが何であるかを表示することが可能であることとしたものである。
【００２１】
この構成により、現時点におけるＡＤＳＬ接続モードは何かを明確に把握することができるという作用を有する。
【００２２】
以下、本発明の実施の形態について、図面を参照しながら説明する。
【００２３】
（実施の形態１）
図１は、本発明の実施の形態１によるＡＤＳＬ接続システムを示すブロック図である。
【００２４】
図１において、１０１は電話回線、１０２はセンタ側装置のＡＤＳＬモデム集合装置、１０３は第１のスプリッタ、１０４は交換機、１０５はＢＡＳ（ブロードバンドアクセスサーバ）、１０６はインターネット網、１０７はユーザ側装置のＡＤＳＬモデム、１０８は第２のスプリッタ、１０９はＰＣ（パソコン）、１１０は電話セット、１１１は電話回線網はである。ここで、構成要素１０２〜１０５はセンタ側装置を構成し、構成要素１０７〜１１０はユーザ側装置を構成する。
【００２５】
図２は図１のＡＤＳＬモデム集合装置１０２を示すブロック図である。
【００２６】
図２において、１１はＡＤＳＬフロントエンド部，１２はＡＤＳＬ用ＤＳＰ部、１３はパケットデータ処理部、１４はメディアＩ／Ｆ部、１５はモード移行判定＆処理部である。
【００２７】
このように構成されたＡＤＳＬ接続システムについて、その動作の概略を説明する。
【００２８】
複数のＡＤＳＬ規格の接続モード（ＡＤＳＬ接続モード）に対応したＡＤＳＬモデム集合装置１０２と複数のＡＤＳＬ規格の接続モードに対応したＡＤＳＬモデム１０７とは、モデム用の高域信号と電話用の低域信号とを分離するスプリッタ１０３、１０８を介して、電話回線１０１で接続されており、ＡＤＳＬ用の伝送方式に基づいた変復調信号とプロトコルとに従って動作する。センタ側装置においては、センタ側装置においては、スプリッタ１０３を通った電話信号は、交換機１０４を経て電話回線網１１１へ出力される。ＡＤＳＬモデム集合装置１０２を通過したネットワーク信号は、ＢＡＳ１０５を経てインターネット網１０６へ出力される。ユーザ側装置においては、スプリッタ１０８を通った電話信号は、電話セット１１０に入力され、ＡＤＳＬモデム１０７を通過したネットワークデータは、イーサネット等を介してＰＣ１０９等に入力される。
【００２９】
ＡＤＳＬモデム集合装置１０２は、ＡＤＳＬフロントエンド部１１で電話回線１０１に対する変復調信号の入出力を行い、ＡＤＳＬ用ＤＳＰ部１２でＡＤＳＬ規格にそった信号処理が行われる。パケットデータ処理部１３では、ネットワークデータをＡＤＳＬ用ＤＳＰ部１２へ受け渡す等の処理を行い、メディアＩ／Ｆ部１４では、例えば光ファイバ等でＢＡＳ１０５と接続される。
【００３０】
このような接続環境下において、ＡＤＳＬ接続の初期化時にデフォルトで設定したＡＤＳＬ規格（例えばＡｎｎｅｘ−Ａ，Ｇ．ＤＭＴ）の接続モードにおいて接続のネゴシエーションを行う。これは、いくつかの周波数の信号を互いに通信してパラメータの送受信とネゴシエーションとを行い、そのＳ／Ｎ比を測定し、各搬送波に割り当てるビット数を調整して伝送速度を決定する。ここにおいてＡＤＳＬモデム集合装置１０２のモード移行判定＆処理部１５においてあらかじめ設定した下限の伝送速度と上記ネゴシエーションにおいて得られた伝送速度との比較処理を行う。一般的に伝送速度は各搬送波のビット数にシグナリング周波数を乗じた総和としてあらわすことができ、この値はネゴシエーションモードのリンク確定時におけるショータイム時にＡＤＳＬ用ＤＳＰ部１２から取り出せるので、該値と前記設定値（下限の伝送速度）とを比較することにより、該値が設定値よりも低い場合や、上記ネゴシエーションでリンクが確立しない場合には、ＡＤＳＬ用ＤＳＰ部１２のエラーステータスを判定し、他のＡＤＳＬ接続モード（例えばＡｎｎｅｘ−Ａ，Ｇ．Ｌｉｔｅ）へ移行してネゴシエーションを行う。Ｇ．ＤＭＴからＧ．Ｌｉｔｅに移行することにより、劣悪な環境下においてはＧ．ＤＭＴよりも高伝送レートで接続を持続できることとなる。このようなモード切換えは、ＡＤＳＬ規格の組み合わせで、例えばＡｎｎｅｘ−Ａ，Ｇ．ＤＭＴからＡｎｎｅｘ−Ｃ，Ｇ．ＤＭＴへの移行、Ａｎｎｅｘ−Ａ，Ｇ．ＬｉｔｅからＡｎｎｅｘ−Ｃ，Ｇ．Ｌｉｔｅへの移行などを行えば、ＴＣＭＩＳＤＮ環境下（日本のＩＳＤＮ方式）におけるクロストークの影響に対しては、より安定した接続が得られる。
【００３１】
以上のように本実施の形態によれば、センタ側装置は、電話回線１０１に接続された第１のスプリッタ１０３と、複数のＡＤＳＬ接続モードに対応するＡＤＳＬモデム集合装置１０２と、ＡＤＳＬモデム集合装置１０２とインターネット網１０６とを接続するブロードバンドアクセスサーバ１０５とを有し、ユーザ側装置は、電話回線１０１に接続された第２のスプリッタ１０８と、複数のＡＤＳＬ接続モードに対応するＡＤＳＬモデム１０７と、ＡＤＳＬモデム１０７に接続されたパソコン１０９とを有し、ＡＤＳＬモデム集合装置１０２は、初期ネゴシエーションを行って接続レートを自動設定する際に、デフォルトで設定したＡＤＳＬ接続モードでネゴシエーションを行い、接続が確保できない場合や設定された接続レート以下でしか接続できない場合には他のＡＤＳＬ接続モードに移行してネゴシエーションを行うことにより、接続が確保できない場合には他のＡＤＳＬ接続モードに移行することができ、また設定された接続レート以下の接続レートとなる場合には他のＡＤＳＬ接続モードに移行することができるので、接続不可を回避することができ、また高速の接続レートを確保することができる。
【００３２】
（実施の形態２）
本発明の実施の形態２によるＡＤＳＬ接続システムは実施の形態１と同様、図１の構成であり、またＡＤＳＬモデム集合装置の構成は実施の形態１と同様、図２の構成である。
【００３３】
図３は、本発明の実施の形態２によるＡＤＳＬ接続システムのＢＡＳ１０５を示すブロック図である。
【００３４】
図３において、２１はメディアＩ／Ｆ部、２２はルータ処理部、２３はインターネットＩ／Ｆ部、２４はＦＴＰサーバ部、２５はＦＴＰ転送スピード表示部、２６はモード移行判定部である。
【００３５】
ＢＡＳ１０５の動作の概要について説明すると、インターネットＩ／Ｆ部２３は、インターネット網１０６からのパケットデータを例えば光ファイバでインタフェースして取り込み、ルータ処理部２２でパケットデータの行き先管理や処理を行い、メディアＩ／Ｆ部２１で光ファイバ等でＡＤＳＬモデム集合装置１０２に接続する。
【００３６】
このような接続環境下で、ＡＤＳＬのリンク確立後にＢＡＳ１０５とパソコン１０９との間において、テスト用の実データ転送を行いデータ転送スピードとリンク確立時のリンクスピードとを比較するものである。ＦＴＰサーバ部２４は、ＦＴＰファイル、ＦＴＰ転送プロトコルを保有し、パソコン１０９のＦＴＰクライアントに対してＦＴＰファイルをダウンストリーム（ＢＡＳ→ユーザ）で転送するものである。ＡＤＳＬモデム集合装置１０２からのリンク確立時のリンクスピード値をＢＡＳ１０５にあらかじめ取り込んでおき、ＦＴＰ転送スピード表示部２５で示される転送スピード値との比較を行う。ここで、ＦＴＰ転送スピードは簡易的には１秒間に転送するデータ数で求めることができる。モード移行判定処理部２６でＦＴＰ転送スピードのほうが或る設定した値以上に低い場合はＡＤＳＬモデム集合装置１０２に対してＡＤＳＬ接続モードを切り換えてネゴシエーションに移行するようにコマンドを送り、ＡＤＳＬモデム集合装置１０２のモード移行判定＆処理部１５においてＡＤＳＬ接続モードの切換えが行われる。もちろん、ＦＴＰ転送データを流すことによりリンクが切れる場合も、ＡＤＳＬモデム集合装置１０２のエラーステータスをＢＡＳ１０５へ取り込み、ＢＡＳ１０５からの上記同様のコマンドでＡＤＳＬ接続モードの切換えが行われる。
【００３７】
以上のように本実施の形態によれば、ブロードバンドアクセスサーバ１０５は、ＡＤＳＬモデム集合装置１０２によりリンクを確立した後にテストデータ転送を行い、テストデータ転送の伝送スピードがリンク確立時のリンクスピードに比べて極端に低い場合には他のＡＤＳＬ接続モードに移行してネゴシエーションを行うことにより、ＦＴＰデータ等の転送でエラーが頻発する事によりデータ転送レートが極端に低くなる状態に対応することができる。
【００３８】
（実施の形態３）
本発明の実施の形態３によるＡＤＳＬ接続システムは実施の形態１と同様、図１の構成であり、またＡＤＳＬモデム集合装置の構成は実施の形態１と同様、図２の構成である。
【００３９】
図４は、本発明の実施の形態３によるＡＤＳＬ接続システムのＢＡＳ１０５を示すブロック図である。図４では、図３と比較し、ウェブサーバ部（ＷＥＢサーバ部）３１が追加されている。
【００４０】
本実施の形態では、このような接続環境下において、パソコン１０９とＢＡＳ１０５との間において、ユーザからモード切換え要求を発し、それをセンタ側装置が認めた場合は、モード切換えのネゴシエーションに移行するものである。その動作を説明すると、パソコン１０９のウェブブラウザからＢＡＳ１０５のウェブサーバ部３１をアクセスし、ウェブサーバ部３１にあらかじめ準備されたモード切換えの要求フォーマットへのチェックを行う。切換え要求のチェックが行われると、モード移行判定部２６にて移行許可がＯＫであれば、切換えのネゴシエーションモードへ移行するようにＡＤＳＬモデム集合装置１０２に対しコマンドを送り、モード移行判定＆処理部１５においてＡＤＳＬ接続モードへの切換えが行われる。リンクがとれてデータ通信が可能な状態ではあるが、回線状況や環境は時間的に変化するので、ユーザ側の要求によりモード移行を可能とするものである。
【００４１】
以上のように本実施の形態によれば、ブロードバンドアクセスサーバ１０５は、パソコン１０９からのＡＤＳＬ接続モードの切換え要求を受信した際、ＡＤＳＬモデム集合装置１０２に対してＡＤＳＬ接続モードの切換えコマンドを送信することにより、パソコン１０９からのＡＤＳＬ接続モードの切換え要求をブロードバンドアクセスサーバ１０５が認めた場合にはＡＤＳＬモデム集合装置１０２は他のＡＤＳＬ規格の接続モードに移行してネゴシエーションを行うことができるので、時間軸での回線環境の変化に実使用者側（ユーザ側）からの要求に適宜に対応することができる。
【００４２】
（実施の形態４）
本発明の実施の形態４によるＡＤＳＬ接続システムは実施の形態１と同様、図１の構成であり、またＡＤＳＬモデム集合装置の構成は実施の形態１と同様、図２の構成である。
【００４３】
図５は、本発明の実施の形態４によるＡＤＳＬ接続システムのＢＡＳ１０５を示すブロック図である。図５では、図４と比較し、ユーザ管理用サーバ部４１が追加されている。
【００４４】
図５に示すようにユーザ管理用サーバ部４１を配置し、各ユーザ毎に何種類のＡＤＳＬ接続モードに対応するのか、そして現在のＡＤＳＬ接続モードは何であり次はどのＡＤＳＬ接続モードへ移行すればよいのか等のデータベースを持ち、ＡＤＳＬ接続モードの移行時にはこのデータベースをモード移行判定部２６が参照し、切り換えるＡＤＳＬ接続モードの選定と共にＡＤＳＬモデム集合装置１０２のモード移行判定＆処理部１５へコマンドを送り、それに従ってモード移行判定＆処理部１５が切換えの実施を行うように動作する。このように、本実施の形態では、ＡＤＳＬモデム集合装置１０２がＡＤＳＬモデム１０７に対してマスタ・イニシエーションで動作することとなる。また、ＡＤＳＬ接続モード毎におけるリンクスピード等の履歴を保持することにより、ユーザ環境の把握が可能であり、最適な移行を選択可能とするものである。
【００４５】
以上のように本実施の形態によれば、ブロードバンドアクセスサーバ１０５は、ユーザ側装置において移行する接続モードを管理するユーザ管理用サーバ４１を有し、接続モードを移行する必要が生じたときにはユーザ管理用サーバ４１のデータベースを参照してＡＤＳＬ接続モードを選択し、選択したＡＤＳＬ接続モードへの移行コマンドをＡＤＳＬモデム集合装置１０２に送信することにより、ユーザ管理用サーバ４１において、現在使用されているＡＤＳＬ接続モードは何かを把握することができ、また移行すべきＡＤＳＬ接続モードは何かも把握することができるので、各ユーザのメンテナンス管理やサービス管理が可能になる。
【００４６】
（実施の形態５）
本発明の実施の形態５によるＡＤＳＬ接続システムは実施の形態１と同様、図１の構成であり、またＡＤＳＬモデム集合装置の構成は実施の形態１と同様、図２の構成である。
【００４７】
図６は、本発明の実施の形態５によるＡＤＳＬ接続システムのＡＤＳＬモデム１０７を示すブロック図である。
【００４８】
図６において、５１はＡＤＳＬフロントエンド部、５２はＡＤＳＬ用ＤＳＰ部、５３はパケットデータ処理部、５４はＬＡＮＩ／Ｆ部、５５はＡＤＳＬモード自動センシング部、５６はＡＤＳＬモード表示部である。
【００４９】
このように構成されたＡＤＳＬモデム１０７について、動作を説明する。
【００５０】
ＡＤＳＬフロントエンド部５１で電話回線１０１に対する変復調信号の入出力を行い、ＡＤＳＬ用ＤＳＰ部５２でＡＤＳＬ規格にそった信号処理が行われる。パケットデータ処理部５３では、ネットワークデータをＡＤＳＬ用ＤＳＰ部５２へ受け渡す等の処理を行い、ＬＡＮＩ／Ｆ部５４はイーサネット等でパソコン１０９と接続される。ＡＤＳＬモード自動センシング部５５は、ＡＤＳＬモデム集合装置１０２から初期ネゴシエーション時に送出されるＡＤＳＬ接続モード毎に決められたパイロットシグナルでＡｎｎｅｘの判別を行い、さらにネゴシエーションのフレームシグナル列に組み込んであるモード識別のＩＤを判別してＧ．ＤＭＴ／Ｌｉｔｅの判別を行う事により自動センシングを可能とし、ＡＤＳＬモデム集合装置１０２のＡＤＳＬ接続モードに応じて動作可能となる。ＡＤＳＬモード表示５６は、ＡＤＳＬモデム１０７のパネル上にＬＥＤ等で、現在どのＡＤＳＬ接続モードで接続されているのかを表示するもので、これはＡＤＳＬモード自動センシング部５５のモード自動センシングの結果をデーコードし、表示すればよい。これにより、ＡＤＳＬモデム１０７の切換えは、センタ側装置の動きに従ったスレーブ的動作で行えることとなる。
【００５１】
以上のように本実施の形態によれば、ＡＤＳＬモデム１０７は、ＡＤＳＬモデム集合装置１０２のＡＤＳＬ接続モードを自動センシングすることが可能であり、現在のＡＤＳＬ接続モードが何であるかを表示することが可能であることにより、現時点におけるＡＤＳＬ接続モードは何かを明確に把握することができる。
【００５２】
【発明の効果】
以上説明したように本発明の請求項１に記載のＡＤＳＬ接続システムによれば、センタ側装置とユーザ側装置とをＡＤＳＬ接続モードで電話回線を介して接続するＡＤＳＬ接続システムであって、センタ側装置は、電話回線に接続された第１のスプリッタと、複数のＡＤＳＬ接続モードに対応するＡＤＳＬモデム集合装置と、ＡＤＳＬモデム集合装置とインターネット網とを接続するブロードバンドアクセスサーバとを有し、ユーザ側装置は、電話回線に接続された第２のスプリッタと、複数のＡＤＳＬ接続モードに対応するＡＤＳＬモデムと、ＡＤＳＬモデムに接続されたパソコンとを有し、ＡＤＳＬモデム集合装置は、初期ネゴシエーションを行って接続レートを自動設定する際に、デフォルトで設定したＡＤＳＬ接続モードでネゴシエーションを行い、接続が確保できない場合や設定された接続レート以下でしか接続できない場合には他のＡＤＳＬ接続モードに移行してネゴシエーションを行うことにより、接続が確保できない場合には他のＡＤＳＬ接続モードに移行することができ、また設定された接続レート以下の接続レートとなる場合には他のＡＤＳＬ接続モードに移行することができるので、接続不可を回避することができ、また高速の接続レートを確保することができるという有利な効果が得られる。
【００５３】
請求項２に記載のＡＤＳＬ接続システムによれば、請求項１に記載のＡＤＳＬ接続システムにおいて、ブロードバンドアクセスサーバは、ＡＤＳＬモデム集合装置によりリンクを確立した後にテストデータ転送を行い、テストデータ転送の伝送スピードがリンク確立時のリンクスピードに比べて極端に低い場合には他のＡＤＳＬ接続モードに移行してネゴシエーションを行うことにより、ＦＴＰデータ等の転送でエラーが頻発する事によりデータ転送レートが極端に低くなる状態に対応することができるという有利な効果が得られる。
【００５４】
請求項３に記載のＡＤＳＬ接続システムによれば、請求項１または２に記載のＡＤＳＬ接続システムにおいて、ブロードバンドアクセスサーバは、パソコンからのＡＤＳＬ接続モードの切換え要求を受信した際、ＡＤＳＬモデム集合装置に対してＡＤＳＬ接続モードの切換えコマンドを送信することにより、パソコンからのＡＤＳＬ接続モードの切換え要求をブロードバンドアクセスサーバが認めた場合にはＡＤＳＬモデム集合装置は他のＡＤＳＬ規格の接続モードに移行してネゴシエーションを行うことができるので、時間軸での回線環境の変化に実使用者側（ユーザ側）からの要求に適宜に対応することができるという有利な効果が得られる。
【００５５】
請求項４に記載のＡＤＳＬ接続システムによれば、請求項１乃至３のいずれか１に記載のＡＤＳＬ接続システムにおいて、ブロードバンドアクセスサーバは、ユーザ側装置において移行する接続モードを管理するユーザ管理用サーバを有し、接続モードを移行する必要が生じたときにはユーザ管理用サーバのデータベースを参照してＡＤＳＬ接続モードを選択し、選択したＡＤＳＬ接続モードへの移行コマンドをＡＤＳＬモデム集合装置に送信することにより、ユーザ管理用サーバにおいて、現在使用されているＡＤＳＬ接続モードは何かを把握することができ、また移行すべきＡＤＳＬ接続モードは何かも把握することができるので、各ユーザのメンテナンス管理やサービス管理が可能になるという有利な効果が得られる。
【００５６】
請求項５に記載のＡＤＳＬ接続システムによれば、請求項１乃至３のいずれか１に記載のＡＤＳＬ接続システムにおいて、ＡＤＳＬモデムは、ＡＤＳＬモデム集合装置のＡＤＳＬ接続モードを自動センシングすることが可能であり、現在のＡＤＳＬ接続モードが何であるかを表示することが可能であることにより、現時点におけるＡＤＳＬ接続モードは何かを明確に把握することができるという有利な効果が得られる。
【図面の簡単な説明】
【図１】本発明の実施の形態１、２、３、４、５によるＡＤＳＬ接続システムを示すブロック図
【図２】図１のＡＤＳＬモデム集合装置を示すブロック図
【図３】本発明の実施の形態２によるＡＤＳＬ接続システムのＢＡＳ（ブロードバンドアクセスサーバ）を示すブロック図
【図４】本発明の実施の形態３によるＡＤＳＬ接続システムのＢＡＳ（ブロードバンドアクセスサーバ）を示すブロック図
【図５】本発明の実施の形態４によるＡＤＳＬ接続システムのＢＡＳ（ブロードバンドアクセスサーバ）を示すブロック図
【図６】本発明の実施の形態５によるＡＤＳＬ接続システムのＡＤＳＬモデムを示すブロック図
【図７】従来のＡＤＳＬ接続システムを示すブロック図
【符号の説明】
１１、５１　ＡＤＳＬフロントエンド部
１２、５２　ＡＤＳＬ用ＤＳＰ部
１３、５３　パケットデータ処理部
１４、２１　メディアＩ／Ｆ部
１５　モード移行判定＆処理部
２２　ルータ処理部
２３　インターネットＩ／Ｆ部
２４　ＦＴＰサーバ部
２５　ＦＴＰ転送スピード表示部
２６　モード移行判定部
３１　ウェブサーバ部
４１　ユーザ管理用サーバ部
５４　ＬＡＮＩ／Ｆ部
５５　ＡＤＳＬモード自動センシング部
５６　ＡＤＳＬモード表示部
１０１　電話回線
１０２　ＡＤＳＬモデム集合装置
１０３　第１のスプリッタ
１０４　交換機
１０５　ＢＡＳ（ブロードバンドアクセスサーバ）
１０６　インターネット網
１０７　ＡＤＳＬモデム
１０８　第２のスプリッタ
１０９　ＰＣ（パソコン）
１１０　電話セット
【図１】
2004015391.tif 000003
【図２】
2004015391.tif 000004
【図３】
2004015391.tif 000005
【図４】
2004015391.tif 000006
【図５】
2004015391.tif 000007
【図６】
2004015391.tif 000008
【図７】
2004015391.tif 000009